(57)【要約】【課題】  同様の処理を複数の静止画に施す場合に効率よく実行できたり、全体を再度効率良く見直して選択候補を吟味し直したりできる画像再生装置などを提供する。【解決手段】  撮影した複数の静止画のなかから選択された静止画を再生できるデジタルカメラにおいて、制御部１が、前記複数の静止画または前記選択された静止画を表示装置１１に順番に表示させ、表示されたそれぞれの静止画に対して所定の処理を施すか否かを操作部８により静止画ごとに順次指定させ、さらに、制御部１は、指定の結果として生じた１つの静止画グループ、例えば所定の処理を施すと指定された静止画から成るグループのみを表示装置１１に一覧表示または順次表示させる構成にした。【選択図】  図１
2006013729.tif 000002
【特許請求の範囲】
【請求項１】
複数の静止画のなかから選択された静止画を再生する画像再生装置において、前記複数の静止画または前記選択された静止画を順番に表示させる静止画表示手段と、該静止画表示手段により順番に表示されたそれぞれの静止画に対して所定の処理を施すか否かを静止画ごとに順次指定させる個別指定手段とを備え、前記静止画表示手段は、前記個別指定手段による指定の結果として生じた１つの静止画グループを表示可能に構成されていることを特徴とする画像再生装置。
【請求項２】
請求項１記載の画像再生装置において、前記静止画グループを前記個別指定手段により所定の処理を施すと指定した静止画から構成したことを特徴とする画像再生装置。
【請求項３】
請求項１記載の画像再生装置において、前記静止画グループを前記個別指定手段により、所定の処理を施さないと指定した静止画から構成したことを特徴とする画像再生装置。
【請求項４】
請求項１乃至請求項３のいずれか一項に記載の画像再生装置において、前記静止画像表示手段により、前記静止画グループを一覧表示することを特徴とする画像再生装置。
【請求項５】
請求項１乃至請求項３のいずれか一項に記載の画像再生装置において、前記静止画像表示手段により、前記静止画グループを順次表示することを特徴とする画像再生装置。
【請求項６】
請求項１乃至請求項５のいずれか一項に記載の画像再生装置を備えていることを特徴とするデジタルカメラ。
【請求項７】
複数の静止画のなかから選択された静止画を再生する画像再生方法において、前記複数の静止画または前記選択された静止画を順番に表示させ、表示されたそれぞれの静止画に対して所定の処理を施すか否かを静止画ごとに順次指定させた後、指定の結果として生じた１つの静止画グループを表示させることを特徴とする画像再生方法。
【請求項８】
請求項７記載の画像再生方法において、前記静止画グループが所定の処理を施すと指定した静止画から構成したことを特徴とする画像再生方法。
【請求項９】
請求項７記載の画像再生方法において、前記静止画グループが所定の処理を施さないと指定された静止画から構成したことを特徴とする画像再生方法。
【請求項１０】
請求項７乃至請求項９のいずれか一項に記載の画像再生方法において、前記静止画グループを一覧表示することを特徴とする画像再生方法。
【請求項１１】
請求項７乃至請求項９のいずれか一項に記載の画像再生方法において、前記静止画グループを順次表示することを特徴とする画像再生方法。
【請求項１２】
請求項７乃至請求項１１のいずれか一項に記載の画像再生方法を演算処理装置に実行させるようにプログラミングされていることを特徴とするプログラム。
【発明の詳細な説明】
【技術分野】
【０００１】
本発明は、複数の静止画のなかから選択された静止画を再生するデジタルカメラなどの画像再生装置、画像再生方法、及びその画像再生方法を実行するプログラムに関わり、特に画像再生を行うに際して複数の静止画に施す処理を効率的に行うことができる画像再生技術に関するものである。
【背景技術】
【０００２】
半導体技術および情報処理技術の進歩により、情報機器や画像を扱う機器の多機能化が進んでいる。例えばデジタルカメラは、単に撮影するだけの機器でなく、一連の撮影画像を編集し、編集した静止画を例えばスライド映像として表示装置へ出力する画像再生装置としても用いることができるようになった。
特許文献１に示された従来技術はそのような従来技術の代表例であり、図２に示したデジタルカメラとほぼ同様の操作ボタンである、「ＳＥＴ」ボタン、「ＭＥＮＵ」ボタン、「ＪＵＭＰ」ボタン、「＋」ボタン、「−」ボタンなどを備えて、撮影した個々の静止画を編集したり、個々の静止画を削除したりすることができ、さらに、編集した一連の静止画を映出させ、スライドショーなどを行なうことができる。デジタルカメラの背面に備えた表示装置を用いて画像を確認しながら再生する静止画を選択し、選択したそれぞれの静止画に対して１つ選択するごとに指定した処理を施し、処理された複数の静止画を予め指定した順番で自動再生するのである。
なお、画像補正を施したサムネール画像の一覧を表示して、その一覧から再度画像補正を施す画像と施さない画像を選択させるというような技術も提供されている。
【特許文献１】特開平１１−３３１７３９号公報
【発明の開示】
【発明が解決しようとする課題】
【０００３】
しかしながら、特許文献１に示された従来技術では、処理を施す対象静止画を選択し、当該処理を実行する際、１つの静止画を選択してはその静止画に施す当該処理を実行する動作を対象静止画の数だけ繰り返さねばならないので、同様の処理を複数の静止画に施す場合には作業効率が悪い。特に、画像補正など時間のかかる編集処理を複数静止画分繰り返す場合には非常に効率が悪くなる。
また、当該処理の対象候補をまとめて選択しておいて、全体を再度見直して選択候補の吟味をしなおしたいというニーズも存在し、従来技術ではこれらのニーズに対応できない。
本発明の目的は、このような従来技術の問題を解決しようとするものであり、具体的には、同様の処理を複数の静止画に施す場合に効率よく実行できたり、全体を再度効率良く見直して選択候補を吟味し直したりできる画像再生装置などを提供することにある。
【課題を解決するための手段】
【０００４】
前記した課題を解決するために、請求項１記載の画像再生装置の発明では、複数の静止画のなかから選択された静止画を再生する画像再生装置において、前記複数の静止画または前記選択された静止画を順番に表示させる静止画表示手段と、該静止画表示手段により順番に表示されたそれぞれの静止画に対して所定の処理を施すか否かを静止画ごとに順次指定させる個別指定手段とを備え、前記静止画表示手段は、前記個別指定手段による指定の結果として生じた１つの静止画グループを表示可能に構成されていることを特徴とする。
また、請求項２記載の画像再生装置の発明では、請求項１記載の画像再生装置において、前記静止画グループを前記個別指定手段により所定の処理を施すと指定した静止画から構成したことを特徴とする。
また、請求項３記載の画像再生装置の発明では、請求項１記載の画像再生装置において、前記静止画グループを前記個別指定手段により、所定の処理を施さないと指定した静止画から構成したことを特徴とする。
また、請求項４記載の画像再生装置の発明では、請求項１乃至請求項３のいずれか一項に記載の画像再生装置において、前記静止画像表示手段により、前記静止画グループを一覧表示することを特徴とする。
また、請求項５記載の画像再生装置の発明では、請求項１乃至請求項３のいずれか一項に記載の画像再生装置において、前記静止画像表示手段により、前記静止画グループを順次表示することを特徴とする。
【０００５】
また、請求項６記載のデジタルカメラの発明では、請求項１乃至請求項５のいずれか１項に記載の画像再生装置を備えていることを特徴とする。
また、請求項７記載の画像再生方法の発明では、複数の静止画のなかから選択された静止画を再生する画像再生方法において、前記複数の静止画または前記選択された静止画を順番に表示させ、表示されたそれぞれの静止画に対して所定の処理を施すか否かを静止画ごとに順次指定させた後、指定の結果として生じた１つの静止画グループを表示させることを特徴とする。
また、請求項８記載の画像再生方法の発明では、請求項７記載の画像再生方法において、前記静止画グループが所定の処理を施すと指定した静止画から構成したことを特徴とする。
また、請求項９記載の画像再生方法の発明では、請求項７記載の画像再生方法において、前記静止画グループが所定の処理を施さないと指定された静止画から構成したことを特徴とする。
また、請求項１０記載の画像再生方法の発明では、請求項７乃至請求項９のいずれか一項に記載の画像再生方法において、前記静止画グループを一覧表示することを特徴とする。
また、請求項１１記載の画像再生方法の発明では、請求項７乃至請求項９のいずれか一項に記載の画像再生方法において、前記静止画グループを順次表示することを特徴とする。
また、請求項１２記載のプログラムの発明では、請求項７乃至請求項１１のいずれか１項に記載の画像再生方法を演算処理装置に実行させるようにプログラミングされていることを特徴とする。
【発明の効果】
【０００６】
請求項１および請求項７記載の発明によれば、複数の静止画またはそのなかから選択された静止画を順番に表示させ、順番に表示されたそれぞれの静止画に対して所定の処理を施すか否かを静止画ごとに順次指定できるので、同様の処理を複数の静止画に施す場合に効率よく実行できる。さらに、指定の結果として生じた１つの静止画グループのみを表示できるので、全体を再度効率良く見直して選択候補を吟味し直したりできる。
また、請求項２及び請求項８記載の発明によれば、静止画グループが所定の処理を施すと指定された静止画から構成されるので、所定の処理を施すと指定された静止画のグループのみを表示でき、したがって、全体を再度効率良く見直して選択候補を吟味し直したりできる。
また、請求項３及び請求項９記載の発明によれば、静止画グループが所定の処理を施さないと指定された静止画から成るので、所定の処理を施さないと指定された静止画のグループのみを表示でき、したがって、全体を再度効率良く見直して選択候補を吟味し直したりできる。
また、請求項４及び請求項１０記載の発明によれば、静止画グループを一覧表示できるので、全体を再度見直す際、さらに効率良く見直すことができる。
また、請求項５及び請求項１１記載の発明によれば、静止画グループを順次表示できるので、全体を再度見直す際、効率良く見直すことができるし、一覧表示に比べて鮮明な画像を表示できる。
また、請求項６記載の発明では、デジタルカメラに、請求項１乃至請求項５のいずれか１項に記載の画像再生装置を備えたので、デジタルカメラで請求項１乃至請求項５のいずれか１項に記載の発明の効果を得ることができる。
また、請求項１２記載の発明では、請求項７乃至請求項１１のいずれか１項に記載の画像再生方法を演算処理装置に実行させることができるので、演算処理装置を備えた装置で請求項７乃至請求項１１のいずれか１項に記載の発明の効果を容易に実現できる。
【発明を実施するための最良の形態】
【０００７】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の画像再生装置の実施の形態とされるデジタルカメラ要部の構成ブロック図である。図示したように、このデジタルカメラは、このカメラの全体を制御する制御部１、レンズ２、絞り機能を有するシャッタ３、レンズ２により結像された光学像をアナログ電気信号に変換する撮像素子４、そのアナログ電気信号をデジタルデータに変換するＡＤ変換器５、デジタル化された撮像画像データ（以下、画像データと略す）に各種画像処理を施す画像処理部６、画像処理された画像データを記憶するメモリ７、各種操作ボタンなどを有する操作部８、表示画面用の画像データを記憶する画像表示メモリ９、メモリ制御を行なってメモリ７に記憶されている画像データを画像表示メモリ９へ取り込むとともに画像表示メモリ９から画像データを取り出しアナログ信号に変換して出力する表示インタフェース部１０、タッチパネル付き表示部（例えば液晶パネル）１１、プリンタなどに画像データを出力するためのインタフェース部である画像出力部１２、ＬＡＮや公衆網などを介して行う相手装置との通信を制御する通信制御部１３、前記表示インタフェース部１０の出力信号が出力される、モニタ装置を接続するためのコネクタ１４、および現在の年月日時分を出力する時計回路１５などを備える。
なお、前記制御部１は、プログラムを書き込んでおくＲＯＭ、およびそのプログラムに従って動作するＣＰＵ（演算処理装置）などを有する。また、メモリ７は画像データを含む各種データを一時的に格納するＲＡＭと、ファイル化されたデータなどを保存しておく不揮発性メモリからなる。
【０００８】
このような構成のデジタルカメラの背面図を図２に示す。図示したように、このデジタルカメラの背面には、前記操作部８、前記タッチパネル付き表示部１１、および光学ファインダ１６などを備え、操作部８には、「メニュー」ボタン２１、「セット」ボタン２２、「ジャンプ」ボタン２３、「＋」ボタン２４、「−」ボタン２５などを備える。また、側面には前記コネクタ１４を備えている。
このような構成で、このデジタルカメラでは、例えばプレゼンテーションのためのスライド映出を行なったり、そのための個々の静止画（スライド画像）の選択・編集および静止画の再生順設定などを行なったりすることができるが、その静止画選択・編集および静止画の再生順設定はこの操作部８とタッチパネル付き表示部１１を用いて行う。なお、スライド映出はコネクタ１４に接続されたモニタ装置を用いて行うことができる。
操作部８に備えるいくつかのボタンのうち、「メニュー」ボタン２１は、メニューを起動したり、下位層のメニュー表示状態で上位層のメニューに戻したりする際に用いる。また、「セット」ボタン２２は選択されたメニュー項目の確定、各種処理操作の確定・実行、画像一覧の種類変更などに用い、「ジャンプ」ボタン２３は一覧表示と個々の静止画表示の切り替えなどに用いる。また、「＋」ボタン２４は選択する静止画を最新の撮影画像（例えば識別番号の大きい後続の静止画）の方向へ移動させたり、選択するメニューを移動させたりするのに用い、「−」ボタン２５は選択する静止画を古い画像（例えば識別番号の小さい手前の静止画）の方向へ移動させたり、選択するメニューを移動させたりするのに用いる。
【０００９】
次に、本発明の実施の形態としてデジタルカメラの特徴的な動作について説明する。なお、本実施の形態では、請求項１記載の静止画表示手段および個別指定手段が、制御部１、画像表示メモリ９、表示インタフェース部１０、およびタッチパネル付き表示部１１などにより実現される。
このように構成される本実施の形態のデジタルカメラでは、撮影された複数の静止画またはそのなかから選択された静止画に対して施す処理の種別を指定させるとともに、前記複数の静止画または前記選択された静止画を順番に表示させ、表示されたそれぞれの静止画に対して指定された種別の処理を施すか否かを静止画ごとに順次指定させ、そのあと、例えば処理を施すと指定された静止画から成る静止画グループを順次表示させて、指定結果を見直し、確定した複数の静止画に対する処理を一括して実行する。なお、処理の種別としては例えば削除処理や編集処理がある。
図３は、処理の種別が削除である場合の処理動作を示したフローチャートである。以下、図３に従って本実施の形態の処理動作を説明する。
まず、利用者が「メニュー」ボタン２１（図２参照）を押下する。これにより、制御部１がその押下を認識し、図４に示したような画面を表示させる。そして、この画面で利用者が「画像削除」ボタンにタッチし、「セット」ボタン２２を押すと、制御部１はそれを認識し、図５に示したような削除メニューを表示させる。
この削除メニュー表示状態で、利用者が「一覧表示」を選択すると、制御部１はその右側に、「全画像一覧」、「削除指定画像一覧」、「削除未指定画像一覧」の３つのメニューのうち、「全画像一覧」を表示させる（Ｓ１）。なお、利用者は「＋」ボタン２４または「−」ボタン２５で３つのメニューの選択状態を変更できる。
続いて、制御部１は順次表示を行う際の処理開始画像を１番目の画像に設定する（Ｓ２）。そして、利用者の選択に応じて、表示する一覧の種類を設定する（Ｓ３）。なお、以下の説明では、特に断りがない場合、削除指定画像一覧が選択されたものとする。
次に、制御部１は設定されている一覧の種類に応じて、処理開始画像から順番に並んだ削除指示された画像の一覧を表示する（Ｓ４）。図７に示したように、縮小した画像を画面内に複数配置した一覧画像を表示するのである。全画像一覧では、図６（ａ）に示したように各画像の削除指示状態に関係なくすべての画像が表示される。それに対して、削除指定画像一覧では、削除指示された画像のみの一覧が表示され（図７参照）、削除未指定画像一覧を選択して実行した場合には、図８に示したように削除未指定の画像のみが一覧表示される。
【００１０】
前記において、同一種類の画像一覧（例えば削除指定画像一覧）が複数ある場合にはそのうちの１番目の画像一覧（例えば最初に作成された画像一覧）を表示する。そして、所定時間ボタン操作を待った後（Ｓ５）、「＋」ボタン２４が押されたかどうかを確認し（Ｓ６）、押されていた場合には（Ｓ６で「はい」）、処理開始画像を削除指定画像一覧中の次の画像一覧の先頭の画像に設定し（Ｓ７）、ステップＳ４に戻る。
それに対して、「＋」ボタン２４が押されていなかった場合には（Ｓ６で「いいえ」）、「−」ボタン２５が押されたかどうかを確認し（Ｓ８）、押されていた場合には（Ｓ８で「はい」）、処理開始画像を削除指定画像一覧中の１つ手前の画像一覧の先頭画像に設定し（Ｓ９）、ステップＳ４に戻る。また、「−」ボタン２５が押されていなかった場合には、「セット」ボタン２２が押されたかどうかを確認する（Ｓ１０）。そして、押されていた場合には（Ｓ１０で「はい」）、表示する画像一覧の種類を変更し（Ｓ１１）、ステップＳ４に戻る。なお、表示する画像一覧の種類は、「セット」ボタン２２が押されるたびに、「全画像一覧」→「削除指定画像一覧」→「削除未指定画像一覧」と循環して変更される。
一方、「セット」ボタン２２が押されていなかった場合には（Ｓ１０で「いいえ」）、「ジャンプ」ボタン２３が押されたかどうかを確認し（Ｓ１２）、押されていなかった場合には、（Ｓ１２で「いいえ」、「メニュー」ボタン２１が押されたかどうかを確認する（Ｓ１３）。そして、押されていた場合には（Ｓ１３で「はい」）、図５に示したような削除メニュー表示状態に戻り（Ｓ１４）、この動作フローを終了させる。また、「メニュー」ボタン２１が押されていなかった場合には（Ｓ１３で「いいえ」）、ステップＳ５に戻り、再びボタン操作待ちを行う。
また、ステップＳ１２において、「ジャンプ」ボタン２３が押されていた場合には（Ｓ１２で「はい」、処理開始画像として設定されている画像を画面全体に表示する（Ｓ１５）。なお、「ジャンプ」ボタン２３を押すと、そのたびごとに一覧表示状態と１つの静止画表示状態との切り替えを行う（図６参照）。
【００１１】
続いて、ボタン操作待ちを所定時間行なった後（Ｓ１６）、「＋」ボタン２４が押されたかどうかを確認し（Ｓ１７）、押されていた場合には（Ｓ１７で「はい」）、処理対象画像（処理開始画像）を次の画像に設定し（Ｓ１８）、ステップＳ１５に戻る。例えば図７に示した「削除指定画像一覧」中のＮｏ．１の画像が表示されていた状態では、Ｎｏ．４の画像を処理対象画像とするのである。
それに対して、「＋」ボタン２４が押されていなかった場合には（Ｓ１７で「いいえ」）、「−」ボタン２５が押されたかどうかを確認し（Ｓ１９）、押されていた場合には（Ｓ１９で「はい」）、処理対象画像を前の表示画像に設定し（Ｓ２０）、ステップＳ１５に戻る。また、「−」ボタン２５が押されていなかった場合には（Ｓ１９で「いいえ」）、「セット」ボタン２２が押されたかどうかを確認し（Ｓ２１）、押されていた場合には（Ｓ２１で「はい」）、処理対象画像の削除指示状態を切り替える（Ｓ２２）。つまり、削除指示がなされている場合には削除指示を解除し、削除指示がなされていない場合には削除指示を設定するのである。なお、画像一覧の種類が「削除指定画像一覧」または「削除未指定画像一覧」の場合、削除指示状態が切り替えられた画像は表示対象ではなくなるので、処理開始画像を次の表示画像に設定し（Ｓ２３）、ステップＳ１５に戻る。
一方、「セット」ボタン２２が押されていなかった場合には（Ｓ２１で「いいえ」）、「ジャンプ」ボタン２３が押されたかどうかを確認し（Ｓ２４）、押されていた場合には（Ｓ２４で「はい」）、ステップＳ４の一覧表示モードに戻る。また、「ジャンプ」ボタン２３が押されていなかった場合には（Ｓ２４で「いいえ」）、「メニュー」ボタン２１が押されたかどうかを確認し（Ｓ２５）、押されていなかった場合には（Ｓ２５で「いいえ」）、ステップＳ１６に戻り、再びボタン操作待ちを行う。「メニュー」ボタン２１が押されていた場合には（Ｓ２５で「はい」）、削除メニュー表示に戻り（Ｓ１４）、この動作フローを終了させる。
【００１２】
以上、処理内容が削除の場合で説明したが、編集についても同様に実施することができる。例えば、フルカラー画像をセピア色に色変更を行うような編集処理では、削除の場合と同様の手順であらかじめセピア編集設定（編集予約）をしておいた画像を一覧表示したり、順次表示したりしながら、編集対象候補の画像を追加設定したり、解除したりして、そのあとでまとめて一括でセピア色変更処理を実施するのである。
したがって、このような本実施の形態によれば、削除処理や編集処理など同様の処理を複数の静止画に施す場合に効率よく実行できるし、全体を再度効率良く見直して選択候補を吟味し直すことができる。
【図面の簡単な説明】
【００１３】
【図１】本発明の実施の形態に係るデジタルカメラ要部の構成ブロック図である。
【図２】本実施の形態に係るデジタルカメラの背面図である。
【図３】本実施の形態に係るデジタルカメラ要部の動作フローチャートである。
【図４】本実施の形態に係るデジタルカメラの画面図である。
【図５】本実施の形態に係るデジタルカメラの他の画面図である。
【図６】本実施の形態に係るデジタルカメラ要部の説明図である。
【図７】本実施の形態に係るデジタルカメラの他の画面図である。
【図８】本実施の形態に係るデジタルカメラの他の画面図である。
【符号の説明】
【００１４】
１  制御部、６  画像処理部、８  操作部、９  画像表示メモリ、１０  表示インタフェース部、１１  表示装置、１４  コネクタ、２１  「メニュー」ボタン、２２  「セット」ボタン、２３  「ジャンプ」ボタン、２４  「＋」ボタン、２５  「−」ボタン
【図１】
2006013729.tif 000003
【図２】
2006013729.tif 000004
【図３】
2006013729.tif 000005
【図４】
2006013729.tif 000006
【図５】
2006013729.tif 000007
【図６】
2006013729.tif 000008
【図７】
2006013729.tif 000009
【図８】
2006013729.tif 000010